(57)【要約】【課題】  制御項目の増加に対しても対応でき、ＬＣＤパネル上での切り換え操作を必要とせず、また、フィルタ名等の表示が可能であり、扱い易いテレビカメラ用操作パネルを提供することを目的とするものである。【解決手段】  テレビカメラのカメラヘッド部１０及びその制御部を制御項目に基づいて操作するテレビカメラ用操作パネル２０であって、設定画面に前記制御項目を表示するタッチパネル付液晶ディスプレイ２２と、各制御項目を操作するためのアップ・ダウンスイッチＳ１，Ｓ２と二つの表示器Ｄ１，Ｄ２とを一組とする表示器付スイッチ２４〜２６と、表示器付スイッチ２４〜２６からなるスイッチ群の制御項目が設定画面に表示され、制御項目を一括して切り換えるスイッチ２７とを備えている。【選択図】  図１
2006174210.tif 000002
【特許請求の範囲】
【請求項１】
テレビカメラのカメラヘッド部及びその制御部を制御項目に基づいて操作するテレビカメラ用操作パネルであって、
前記制御項目を表示するタッチパネル付液晶ディスプレイと、
該タッチパネル付液晶ディスプレイより設定した制御項目に基づいて、各制御項目を操作するためのアップ・ダウンスイッチと二つの表示器とを一組とする表示器付スイッチと、
少なくとも二つの前記表示器付スイッチからなるスイッチ群の各制御項目を一括して切り換えるスイッチとを備えることを特徴とするテレビカメラ用操作パネル。
【請求項２】
請求項１に記載のテレビカメラ用操作パネルにおいて、
前記二つの表示器の内の一方を前記アップ・ダウンスイッチの制御項目を表示する第１の表示器とし、他方を前記アップ・ダウンスイッチの操作後の前記カメラヘッド部又はその制御部より伝送されてくる操作情報を表示する第２の表示器とすることを特徴とするテレビカメラ用操作パネル。
【請求項３】
請求項２に記載のテレビカメラ用操作パネルにおいて、
前記第１の表示器は制御項目としてテレビカメラの光学フィルタの種類を表示し、前記第２の表示器は操作後の情報に基づいて前記光学フィルタの名称を表示することを特徴とするテレビカメラ用操作パネル。
【請求項４】
請求項１に記載のテレビカメラ用操作パネルにおいて、
前記テレビカメラのカメラヘッド部及びその制御部に異常が発生した際に該カメラヘッド部及びその制御部から異常信号が伝送され、該異常信号を判別して前記テレビカメラの異常を表示した後に、前記異常信号に基づいて、前記タッチパネル付液晶ディスプレイに故障箇所を表示するためのスイッチを有することを特徴とするテレビカメラ用操作パネル。
【発明の詳細な説明】
【技術分野】
【０００１】
本発明は、放送局のスタジオ等で使用されるテレビカメラを操作するスイッチ及び表示器を集約したテレビカメラ用操作パネルに関するものである。
【背景技術】
【０００２】
放送局のスタジオで使用されるテレビカメラは、カメラヘッド部とカメラコントロール・ユニット（以下、ＣＣＵと称する）からなり、一般にはカメラヘッド部が操作パネルにより遠隔操作されている。その操作パネルの接続方法は、撮像部を有するカメラヘッド部と操作パネルとをカメラケーブルで直接接続するか、或いは操作パネルをＣＣＵ又はベースステイション（ＢＳ）に接続し、操作パネルによりカメラヘッド部が遠隔操作されている。放送局用テレビカメラは、操作パネルを操作し、切換信号或いは調整信号等をＣＣＵからカメラヘッド部の光学系及び映像信号処理系に送出し、カメラヘッド部で撮影された映像をモニター画面で確認しながら被写体（テストチャート）の形、明暗、色合いなどが最良となるようにカメラ調整が行われる。
【０００３】
先ず、カメラヘッド部の光学フィルタ系の調整について説明する。カメラヘッド部には、入射光量を調整するニュートラル・デンシティフィルタ（以下、ＮＤフィルタと称する）、色温度を調整するカラーコンバージョンフィルタ（以下、ＣＣフィルタと称する）、及び特殊効果用（エフェクト）フィルタの３種類があり、何れもターレットと呼ばれる複数枚のフィルタがセットされたフィルタ群から構成されている。これらのフィルタは、操作パネルを操作して最適なフィルタが選択され、スタジオで撮影した場面に相応しい映像信号を出力し得るようにしている。
【０００４】
図６は操作パネル１の一例を示している。操作パネル１には電源スイッチを含めて複数のスイッチが設けられている。例えば、フィルタ表示パネル２は、ＮＤフィルタの選択とＣＣフィルタの選択を行うためのスイッチが設けられ、ＮＤフィルタの操作部２ａには、表示灯２Ｌ１に１，２，３，４及び５の番号を記し、ＣＣフィルタの操作部２ｂには、表示灯２Ｌ２にＡ，Ｂ，Ｃ，Ｄ及びＥの英文字を記し、各操作部２ａ，２ｂの直下に設けた左右方向を示す矢印を記したスイッチ２ｓを操作し、最適なフィルタに切れ換え、そのフィルタに対応する表示灯２Ｌ１，２Ｌ２を点灯させて表示している。また、特殊効果用フィルタは、ＮＤフィルタ又はＣＣフィルタの何れかの操作部２ａ，２ｂに組み込まれるか、専用のフィルタターレットを操作する操作部が設けられている。なお、表示灯２Ｌ１の他の形態には７セグメントのＬＥＤを使用して番号を表示するものがある。
【０００５】
また、図６の操作パネル１の下方に設けられたＡＬＡＲＭは、ＡＬＡＲＭ表示器であり、点灯することで、テレビカメラのカメラヘッド部又はその制御部に異常が発生したことを知らせる機能が備えられている。
【０００６】
なお、ビデオカメラのカメラヘッド部には光学フィルタ系が設けられ、ＮＤフィルタターレット及びＣＣフィルタターレットを回転させる駆動モータにモータ制御電圧を加えることにより、駆動モータの回転をギヤで伝達して各ターレットを回転駆動させるようにしている。ＣＣＵにはその一機能とし、カメラヘッド部に設けられたターレットの駆動モータのモータ制御電圧を出力する制御回路等が設けられている（例えば、特許文献１を参照）。
【０００７】
【特許文献１】特開平５−６８２１３号公報（明細書全文）
【発明の開示】
【発明が解決しようとする課題】
【０００８】
しかしながら、従来の操作パネルでは、ＮＤフィルタターレット及びＣＣフィルタターレットを回転駆動させて、最適なフィルタを選択しているが、実際には１〜５の番号又はＡ〜Ｅの英文字標記で表示されており、選択されているフィルタがどのようなフィルタが選択されているかが、ビデオオペレータはそのフィルタ種を一目では判らず、その操作パネル近傍に設けた対応表を対応させて把握しているのが実情であった。
【０００９】
図６の操作パネルではスイッチや表示器が固定されており、制御項目を追加する場合には、新たに操作パネルを作る必要があり、コストの増大や時間的なロスを招く結果となり、従来の放送局用テレビカメラの操作パネルには、制御項目設定の自由度が不足していた。このような問題点を操作パネルにタッチパネル付き液晶ディスプレイ（ＬＣＤ）パネルを利用したものがあるが、制御する度に制御項目がある選択ページに画面が切り換わるため、操作が煩わしいといった問題があった。また、ＮＤフィルタターレット及びＣＣフィルタターレットを切り換え制御したとしても選択されたフィルタが何れの種のフィルタが選択されているかは判別がつかないといった問題があった。
【００１０】
さらに、ＡＬＡＲＭ表示器では、異常があることを表示器を点灯することにより報知するものの、異常の箇所がどの場所かの判別をピクチャモニタに出力された文字や別のスイッチを操作して表示を切り換えることにより報知しており、操作が煩わしいものであった。
【００１１】
本発明は、上記のような問題点に鑑みなされたものであって、制御項目の増加に対しても対応でき、ＬＣＤパネル上での切り換え操作を必要とせず、また、フィルタ名等の表示が可能であり、扱い易いテレビカメラ用操作パネルを提供することを目的とするものである。
【課題を解決するための手段】
【００１２】
本発明は、上述した課題を解決したものであり、請求項１の発明は、テレビカメラのカメラヘッド部及びその制御部を制御項目に基づいて操作するテレビカメラ用操作パネルであって、
前記制御項目を表示するタッチパネル付液晶ディスプレイと、
該タッチパネル付液晶ディスプレイより設定した制御項目に基づいて、各制御項目を操作するためのアップ・ダウンスイッチと二つの表示器とを一組とする表示器付スイッチと、
少なくとも二つの前記表示器付スイッチからなるスイッチ群の各制御項目を一括して切り換えるスイッチとを備えることを特徴とするテレビカメラ用操作パネルである。
【００１３】
また、請求項２の発明は、請求項１に記載のテレビカメラ用操作パネルにおいて、
前記二つの表示器の内の一方を前記アップ・ダウンスイッチの制御項目を表示する第１の表示器とし、他方を前記アップ・ダウンスイッチの操作後の前記カメラヘッド部又はその制御部より伝送されてくる操作情報を表示する第２の表示器とすることを特徴とするテレビカメラ用操作パネルである。
【００１４】
また、請求項３の発明は、請求項２に記載のテレビカメラ用操作パネルにおいて、
前記第１の表示器は制御項目としてテレビカメラの光学フィルタの種類を表示し、前記第２の表示器は操作後の情報に基づいて前記光学フィルタの名称を表示することを特徴とするテレビカメラ用操作パネルである。
【００１５】
また、請求項４の発明は、請求項１に記載のテレビカメラ用操作パネルにおいて、
前記テレビカメラのカメラヘッド部及びその制御部に異常が発生した際に該カメラヘッド部及びその制御部から異常信号が伝送され、該異常信号を判別して前記テレビカメラの異常を表示した後に、前記異常信号に基づいて、前記タッチパネル付液晶ディスプレイに故障箇所を表示するためのスイッチを有することを特徴とするテレビカメラ用操作パネルである。
【発明の効果】
【００１６】
請求項１の発明では、テレビカメラのカメラヘッド部及びその制御部を制御項目に基づいて操作するテレビカメラ用操作パネルであって、前記制御項目を表示するタッチパネル付液晶ディスプレイと、該タッチパネル付液晶ディスプレイより設定した制御項目に基づいて、各制御項目を操作するためのアップ・ダウンスイッチと二つの表示器とを一組とする表示器付スイッチと、少なくとも二つの前記表示器付スイッチからなるスイッチ群の各制御項目を一括して切り換えるスイッチとを備えることを特徴とするテレビカメラ用操作パネルであるので、設定画面でタッチパネル付液晶ディスプレイより表示器付スイッチに設定した制御項目を画面を切り換えることなく、スイッチ操作により制御可能な状態となる。また、新たなスイッチ群を設定することも可能であり、例えば、ビデオオペレータの好みに応じて新たなスイッチ群を用意することができるし、さらに、番組制作において、必要な光学フィルタ等を使いよく設定したり、汎用性の高いテレビカメラ用操作パネルを提供できる利点がある。また、各スイッチ群の制御項目を切り換えるスイッチ（ＮＥＸＴスイッチ）は、自動復帰型スイッチを用いれば良いし、スイッチを押し下げる操作により、各スイッチ群の制御項目を一括して切り換え表示することができ、制御項目毎に初期画面或いは設定画面を呼び出して制御項目を操作する必要がなく、操作が簡便なものとなる利点がある。
【００１７】
また、請求項２の発明では、請求項１に記載のテレビカメラ用操作パネルにおいて、前記二つの表示器の内の一方を前記アップ・ダウンスイッチの制御項目を表示する第１の表示器とし、他方を前記アップ・ダウンスイッチの操作後の前記カメラヘッド部又はその制御部より伝送されてくる操作情報を表示する第２の表示器とすることを特徴とするテレビカメラ用操作パネルであるので、第１の表示器には、スイッチの制御項目が表示され、アップ・ダウンスイッチで制御するときの操作ミスを低減できる。また、アップ・ダウンスイッチで操作した操作結果がカメラヘッド部及びその制御部から伝送され、操作情報として第２の表示器に表示することができるので、誤った操作を見逃すことがなく、正確に制御できる利点がある。また、これらの表示器は、選択されたスイッチ群の各制御項目毎に表示が切り換わり、誤操作を防止することができる。
【００１８】
また、請求項３の発明では、請求項２に記載のテレビカメラ用操作パネルにおいて、前記第１の表示器は制御項目としてテレビカメラの光学フィルタの種類を表示し、前記第２の表示器は操作後の情報に基づいて前記光学フィルタの名称を表示することを特徴とするテレビカメラ用操作パネルであるので、第１，第２の表示器には選択された光学フィルタの種類と名称をそれぞれ表示することができるので、従来の番号対光学フィルタ種の一覧表が不要となり、操作性が良好なものとなる。
【００１９】
また、請求項４の発明では、請求項１に記載のテレビカメラ用操作パネルにおいて、前記テレビカメラのカメラヘッド部及びその制御部に異常が発生した際に該カメラヘッド部及びその制御部から異常信号が伝送され、該異常信号を判別して前記テレビカメラの異常を表示した後に、前記異常信号に基づいて、前記タッチパネル付液晶ディスプレイに故障箇所を表示するためのスイッチを有することを特徴とするテレビカメラ用操作パネルであるので、異常を報知する表示器とスイッチとを兼用してアラーム表示をし、スイッチ操作を行うことによって、タッチパネル付液晶ディスプレイにカメラヘッド部及びその制御部の故障箇所を表示することができ、故障箇所の表示により修理を迅速に行うことができる利点がある。
【発明を実施するための最良の形態】
【００２０】
以下、本発明に係るテレビカメラ用操作パネルの実施の形態について、図面を参照して説明する。図１は、本発明のテレビカメラ用操作パネルの一実施形態を示す正面図であり、図２は、本実施形態のカメラヘッド部の光学フィルタ系と信号処理回路と操作パネルの制御部を示すブロック図である。図３，図４はタッチパネル付液晶ディスプレイに複数の制御項目が一括表示された設定画面をそれぞれ示している。図５はカメラヘッド部の異常を警報する機能ブロック図を示している。
【００２１】
本実施形態のテレビカメラ用操作パネルは放送局用テレビカメラの操作パネルであり、その主要部を図１を参照して説明する。同図において、操作パネル２０には多数のスイッチが設けられている。操作パネル２０の概ね上部にはタッチパネル付き液晶ディスプレイ（以下、タッチパネル付きＬＣＤと称する）２２が設けられ、タッチパネル付きＬＣＤ２２の下には表示器付きスイッチ２４〜２６が設けられ、表示器付きスイッチ２４〜２６の上部右隣接部にＮＥＸＴスイッチ２７が設けられている。また、操作パネル２０の最下段部には異常を報知する表示付きのＡＬＡＲＭ表示スイッチ２３が設けられている。
【００２２】
表示器付きスイッチ２４〜２６は、表示部Ｄ１，Ｄ２と矢印で上下方向を示すアップ・ダウンスイッチＳ１，Ｓ２とを一組として構成されている。同図には、表示器付きスイッチ２４〜２６の表示部Ｄ１，Ｄ２に、ゲイン（ＧＡＩＮ），−３ｄＢ、ＮＤフィルタ（ＮＤ），１／１６、シャッタ（ＳＨＵＴ），１０００と図示されている。表示部Ｄ１に制御項目（ＧＡＩＮ、ＮＤ、ＳＨＵＴ）が表示され、表示部Ｄ２にはカメラヘッド部１０からの制御結果（−３ｄＢ、１／１６、１０００）が表示されている。
【００２３】
因みに、ＮＤフィルタは透過率を切り換えるフィルタであり、透過率がＣＡＰ、１００％、２５％、６．２％、１．６％の５種類が用意され、この５種類のフィルタの何れかが選択され、ＣＡＰ、１、１／４、１／１６、１／６４として表示器Ｄ１にフィルタ種が表示される。また、ＣＣフィルタは色温度変換フィルターであり、例えば、3000°Ｋ， 4000°Ｋ，5600°Ｋ，7500°Ｋ，ＣＡＰの５種類が用意され、この５種類のフィルタの何れかが選択され、3000，4000，5600，7500，ＣＡＰとして表示器Ｄ１に表示される。
【００２４】
次に、図２を参照し、本実施形態の操作パネル２０の制御部について説明する。この制御部は、放送局用テレビカメラのカメラヘッド部１０の光学系及び信号処理回路部等を制御する回路部であり、先ず、カメラヘッド部１０について説明する。カメラヘッド部１０の光学系にはレンズ１１、オプティカルローパスフィルタ１２、カラーコンバージョンターレット１３、ニュートラル・デンシティチェンジターレット１４等が設けられ、この光学系からの光を受光する撮像素子１５、撮像素子１５からの信号を処理する信号処理回路１６、信号処理回路１６の映像出力を出力する出力端子１８ａが設けられ、かつカラーコンバージョンターレット１３、ニュートラル・デンシティチェンジターレット１４、撮像素子１５、及び信号処理回路１６を制御する制御回路１７が設けられ、インターフェース端子１８ｂとインターフェース端子１９とをケーブルで接続し、カメラヘッド部１０の制御回路１７と操作パネル２０の制御回路２１と接続している。なお、ターレットの回転駆動回路等は図示を省略した。
【００２５】
オプティカルローパスフィルタ１２は撮像素子１５としてＣＣＤを使用する時に使用されるフィルタである。カラーコンバージョンターレット１３は、上述した色温度変換フィルタであり、５枚（５種）のＣＣフィルタが回転円板に設けられ、操作パネル２０からの制御信号に基づく切換信号により回転円板を回転駆動させて所望のＣＣフィルタが選択できる。同様な機構のニュートラル・デンシティチェンジターレット１４は光の透過率を切り換えるＮＤフィルタであり、５枚（５種）のＮＤフィルタが回転円板に設けられ、操作パネル２０からの制御信号に基づく切換信号により選択できる。また、撮像素子１５はＣＣＤが使用され、信号処理回路１６では撮像素子１５からの出力信号をニーやガンマ処理などを行う。これらの制御は操作パネル２０からの制御信号に基づいて操作することができる。
【００２６】
また、操作パネル２０には、制御回路２１、タッチパネル付きＬＣＤ２２、アラーム表示スイッチ２３、表示器付きスイッチ２４〜２６及びＮＥＸＴスイッチ２７等が設けられ、カメラヘッド部１０のインターフェース端子１８ｂと操作パネル２０のインターフェース端子１９とがケーブルで接続され、互いの制御回路１７と制御回路２１とが接続され、制御信号の送信及び制御信号に基づく操作情報の受信が可能である。表示器付きスイッチ２４〜２６は、表示器Ｄ１，Ｄ２及びアップスイッチＳ１とダウンスイッチＳ２とを一組として構成され、アラーム表示スイッチ２３は故障を表示するアラーム表示器ＤとアラームスイッチＳとで構成されている。ＮＥＸＴスイッチ２７はスイッチ操作によりタッチパネル付きＬＣＤ２２により選択された制御項目がスイッチ群毎に切り換えて表示することができる。
【００２７】
次に、操作パネルを使用した実施の形態について説明する。図２に示すように、カメラヘッド部と操作パネルを接続した場合を示す。電源を投入し設定画面を呼び出すと、図３及び図４のようなスイッチ２４〜２６のスイッチ制御項目設定画面がタッチパネル付きＬＣＤ２２に表示される。図３は、表示器付きスイッチのスイッチ制御項目設定画面の一例である。設定画面２２Ａの表示領域Ａ２は設定可能なスイッチ群であり、設定画面が表れると名称のないブランク状態となっている。まず、表示領域Ａ２の左側の部分がブリンク（点滅）して設定を促す。表示領域Ａ１に示された制御項目の名称部分をタッチすると、その制御項目が設定される。同様に、センター及び右側に対して制御項目の設定を行う。以上のように設定した結果が図３である。次に、初期設定プログラムにより設定画面を切り換えて、図３と同様に図４のような設定を行う。図３および図４の設定は設定メモリ（図示なし）に記憶される。
【００２８】
以上の初期設定終了後、実際のカメラヘッド部の制御動作を行う。そのとき、表示器付きスイッチ２４〜２６は図３で設定された制御項目になっている。
各表示器付きスイッチの操作について説明する。表示器付きスイッチ２４の表示器Ｄ１の制御項目「ＧＡＩＮ」を確認し、アップ・ダウンスイッチＳ１，Ｓ２を操作することによって、カメラヘッド部１０の撮像素子１５の増幅段の利得が制御される。制御回路２１は、その制御結果（操作情報）を受信し、表示器Ｄ２には「−３ｄＢ」と表示される。
【００２９】
また、表示器付きスイッチ２５の表示器Ｄ１「ＮＤ」を確認し、アップ・ダウンスイッチＳ１，Ｓ２を操作することによって、カメラヘッド部１０のニュートラル・デンシティチェンジターレット１４を操作して最適なＮＤフィルタが選択され、表示器Ｄ２には制御結果（操作情報）として「１／１６」が選択されたことが表示される。また、表示器付きスイッチ２６の表示器Ｄ１「ＳＨＵＴ」を確認し、アップ・ダウンスイッチＳ１，Ｓ２を操作することによって、制御結果（操作情報）としてシャッタ速度「１０００」（１／１０００の意味）が表示器Ｄ２に表示される。
【００３０】
次に、図４で設定したスイッチ群を使用するときは、ＮＥＸＴスイッチ２７を操作してスイッチ群を切り換える。すなわち、ＮＥＸＴスイッチ２７を操作すると設定メモリから読み出して制御項目を「ＧＡＩＮ」「ＮＤ」「ＳＨＵＴ」から「ＧＡＭＭＡ」「ＣＣ」「ＢＬＡＣＫ」に切り換える。操作パネル２０の表示付きスイッチ２４〜２６の表示器Ｄ１には制御項目の「ＧＡＭＭＡ」「ＣＣ」「ＢＬＡＣＫ」が表示される。これらの制御項目を確認し、各表示器付きスイッチ２４〜２６のアップ・ダウンスイッチＳ１，Ｓ２を操作することにより、制御信号が制御回路１７に伝送され、その制御結果が表示器Ｄ２に表示される。
【００３１】
次に、上記実施形態のアラーム表示について説明する。図５は、アラーム表示における機能ブロック図であり、カメラヘッド部に何か異常が発生したとすると、図２の制御回路１７の異常信号送出手段１７ａから異常箇所をコード化した異常信号が伝送され、操作パネル２０の制御回路２１の異常信号検出手段２１ｅで検出する。操作パネル２０の異常信号検出手段２１ｃからのアラーム表示信号に基づいて、表示器付きスイッチ２３のアラーム表示部Ｄを点灯し、ビデオオペレータに対して異常を知らせる。ビデオオペレータがアラームスイッチＳを操作すると、異常表示手段２１ｆから操作パネル２０のタッチパネル付きＬＣＤ２２に故障箇所を、例えば表示領域に「フィルタ１  異常」等の表示を行う。ビデオオペレータは、この故障箇所を確認し直ちに修理を行うことができる。
【００３２】
また、図６に示した従来の操作パネル１を使用していたカメラヘッド或いは単なる番号を伝送するカメラヘッドであったとしても、キャラクタ変換用の回路等を操作パネルに組み込み、制御信号を切り換えて使用すれば、従来のカメラヘッドであっても本発明の操作パネルを使用することができる。また、本実施形態では、ＧＡＩＮ，ＮＤ，ＳＨＵＴ等の制御項目を例示して説明したが、他の制御項目をスイッチ群毎に一括して切り換えるようにしてもよい。
【００３３】
なお、本発明は、複数の制御項目を一スイッチ群とみなし、タッチパネル付きＬＣＤに表示された画面を切り換えることなく、設定画面内のスイッチ群の表示を一括して切り換えて操作できるようにしたものであり、上記実施形態に限定することなく、操作及び表示手段は制御プログラムを変更することにより幾多の変形が可能である。
また、本発明は、アップ・ダウンスイッチと二つの表示器とによる構成としたが、制御項目により制御結果（操作情報）がＯＮ／ＯＦＦの場合には一つのスイッチと一つの表示器による構成とすることが可能である。
【産業上の利用可能性】
【００３４】
本発明の活用例としては、放送局用テレビカメラの操作パネルとして利用することができる。
【図面の簡単な説明】
【００３５】
【図１】本発明のテレビカメラ用操作パネルの一実施形態を示す正面図である。
【図２】本実施形態のカメラヘッド部の光学フィルタ系と信号処理回路と操作パネルの制御部を示すブロック図である。
【図３】本実施形態のタッチパネル付液晶ディスプレイに複数の制御項目が一括表示された設定画面を示す図である。
【図４】本実施形態のタッチパネル付液晶ディスプレイに複数の制御項目が一括表示された設定画面を示す図である。
【図５】本実施形態のカメラヘッド部の異常を表示する機能ブロック図である。
【図６】従来のテレビカメラ用操作パネルの一例示す正面図である。
【符号の説明】
【００３６】
１０  カメラヘッド部
１１  レンズ
１２  オプティカルローパスフィルタ
１３  カラーコンバージョンフィルタターレット
１４  ニュートラル・デンシティチェンジフィルタターレット
１５  撮像素子
１６  信号処理回路
１７  制御回路
１８ａ  出力端子
１８ｂ，１９  インターフェース端子
２０  操作パネル
２１  制御回路
２２  タッチパネル付き液晶ディスプレイ
２２Ａ  設定画面
２３  アラーム表示スイッチ
２４〜２６  表示器付きスイッチ
２７  ＮＥＸＴスイッチ
Ａ１，Ａ２  表示領域
Ｄ，Ｄ１，Ｄ２  表示器
Ｓ  アラームスイッチ
Ｓ１  アップスイッチ
Ｓ２  ダウンスイッチ
【図１】
2006174210.tif 000003
【図２】
2006174210.tif 000004
【図３】
2006174210.tif 000005
【図４】
2006174210.tif 000006
【図５】
2006174210.tif 000007
【図６】
2006174210.tif 000008